(57)【要約】  回転基板支持体を使用して基板を処理する方法及び装置が開示される。一実施形態では、基板を処理するための装置は、基板支持体アセンブリを内部に配設したチャンバを含む。基板支持体アセンブリは、支持表面及びこの支持表面の下に配設されたヒータを有する基板支持体を含む。基板支持体には、シャフトが結合され、このシャフトには、基板支持体へ回転移動を与えるため、ローターを介してモータが結合される。ローターの周りにシールブロックが配設され、ローターに対してシールを形成する。シールブロックは、このシールブロックとシャフトとの間の境界に沿って配設された少なくとも１つのシール及び少なくとも１つのチャネルを有する。各チャネルには、ポンプへ接続するためのポートが結合される。シャフトには、基板支持体を上昇及び下降させるためのリフト機構が結合される。【選択図】      図２
2008544491.tif 000002
【特許請求の範囲】
【請求項１】
基板を処理するための装置において、
チャンバと、
上記チャンバ内に配設された基板支持体アセンブリと、
を備え、上記基板支持体アセンブリは、
支持表面を有する基板支持体と、
上記支持表面の下に配設されたヒータと、
上記基板支持体に結合されたシャフトと、
ローターを介して上記シャフトに結合され、上記基板支持体へ回転移動を与えるためのモータと、
上記ローターの周りに配設され、上記ローターに対するシールを形成するシールブロックであって、上記シールブロックと上記シャフトとの間の境界に沿って配設された少なくとも１つのシール及び少なくとも１つのチャネルと、各チャネルに結合され、ポンプに接続するためのポートと、を有するようなシールブロックと、
上記シャフトに結合され、上記基板支持体を上昇及び下降させるためのリフト機構と、
を備える装置。
【請求項２】
上記モータは、毎分約６０回転までの速度で回転する、請求項１に記載の装置。
【請求項３】
上記モータは、定常状態回転変動が約１パーセント以内である、請求項１に記載の装置。
【請求項４】
上記モータは、約１度より小さい割送りができる（index capable）、請求項１に記載の装置。
【請求項５】
上記シールブロックは、上記シールブロックと上記シャフトとの間の境界に配設された複数のシールを更に備え、上記複数のシールのうちの２つの間に少なくとも１つのチャネルが配設される、請求項１に記載の装置。
【請求項６】
上記シールブロックは、上記シールブロックと上記シャフトとの間の境界に配設された３つのシール及び２つのチャネルを更に備え、上記２つのチャネルの各々は、上記３つのシールの間に配設される、請求項１に記載の装置。
【請求項７】
上記ローターの上方表面に形成された複数の開口と、上記シャフトの底部に配設され、上記複数の開口内へと延長する複数のピンと、を更に備える、請求項１に記載の装置。
【請求項８】
各ピンに形成されたノッチと、上記開口内へと部分的に延長し且つノッチが形成されている回転シャフトであって、整列されているときは、上記開口に対して上記ピンが自由に出入り移動できるようにするが、整列されていないときは、上記ピンの上記ノッチ内へと延長して上記開口から上記ピンが移動しないようにする回転シャフトとを更に備える、請求項７に記載の装置。
【請求項９】
上記ローターの上方表面に形成された３つの開口と、上記シャフトの底部に配設され、各々が上記３つの開口のうちの対応する開口内へと延長する３つのピンとを更に備える、請求項１に記載の装置。
【請求項１０】
上記シャフト内に配設され、上記基板支持体の底部表面から上記シャフトの底部部分へと延長する少なくとも１つの絶縁導管を更に備える、請求項１に記載の装置。
【請求項１１】
上記基板支持体アセンブリに結合され、処理中に上記基板支持体アセンブリを回転させるための命令を含むコントローラを更に備える、請求項１に記載の装置。
【請求項１２】
上記基板支持体は、上記モータと同軸的に結合され、上記モータのベアリングは、上記ヒータを支持し位置決めする、請求項１に記載の装置。
【請求項１３】
上記基板支持体は、上記モータにより直接的に駆動される、請求項１に記載の装置。
【請求項１４】
回転基板支持体を使用して処理チャンバにおいて基板を処理する方法において、
上記基板支持体上に処理すべき基板を置くステップと、
上記チャンバ内へガスを分配することを含む処理サイクル中に３６０度の整数倍上記基板を回転させるステップと、
を備えた方法。
【請求項１５】
上記回転させるステップは、更に、上記処理サイクルの処理ランプアップ部分、定常状態部分及び／又はランプダウン部分のうちの少なくとも１つを通して３６０度の整数倍上記基板を回転させる段階を含む、請求項１４に記載の方法。
【請求項１６】
上記処理サイクルは、化学気相堆積処理の部分である、請求項１４に記載の方法。
【請求項１７】
上記処理サイクルは、原子層堆積処理の部分である、請求項１４に記載の方法。
【請求項１８】
回転基板支持体を使用して処理チャンバにおいて基板を処理する方法において、
上記基板支持体上に処理すべき基板を置くステップと、
上記基板上に形成される物質層の堆積割合を決定するステップと、
上記物質層の最終堆積プロフィールを制御するため、上記決定された堆積割合に応答して上記基板の回転割合を制御するステップと、
を備えた方法。
【請求項１９】
最終処理サイクルの終わりに、望ましい最終堆積プロフィールを得るため、複数の処理サイクル中に上記決定するステップ及び上記制御するステップを繰り返すステップを更に備えた、請求項１８に記載の方法。
【請求項２０】
上記複数の処理サイクルは、原子層堆積処理の部分である、請求項１９に記載の方法。
【請求項２１】
回転基板支持体を使用して処理チャンバにおいて基板を処理する方法において、
上記基板支持体上に処理すべき基板を置くステップと、
特定の１つ又は複数の変数に応答して上記基板の回転速度を制御するステップと、
を備えた方法。
【請求項２２】
上記特定の変数は、温度、圧力、計算された堆積割合又は測定された堆積割合のうちの少なくとも１つである、請求項２１に記載の方法。
【請求項２３】
上記回転速度を制御するステップは、更に、
より遅い堆積割合の期間中上記回転速度を遅くする段階と、
より速い堆積割合の期間中上記回転速度を増す段階と、
を含む、請求項２１に記載の方法。
【請求項２４】
回転基板支持体を使用して処理チャンバにおいて基板を処理する方法において、
上記基板支持体上に処理すべき基板を置くステップと、
第１配向において第１の時間周期中上記基板を処理するステップと、
上記基板を第２配向へと割送りし、第２の時間周期中上記基板を処理するステップと、
を備えた方法。
【発明の詳細な説明】
【発明の背景】
【０００１】
発明の分野
[0001]本願は、一般に、半導体基板の処理に係り、より詳細には、半導体基板上に物質を堆積することに関する。更に特定すると、本発明は、単一基板堆積チャンバに使用するための回転基板支持体に関する。
【０００２】
関連技術の説明
[0002]集積回路は、化学気相堆積を含む種々な技法によって堆積された物質の複数の層を備える。従って、化学気相堆積又はＣＶＤによる半導体基板上への物質の堆積は、集積回路を製造するプロセスにおける重要なステップである。典型的なＣＶＤチャンバは、処理中に基板を加熱するための加熱基板支持体と、処理ガスをチャンバ内へ導入するためのガスポートと、チャンバ内の処理圧力を維持し且つ過剰ガス又は処理副生物を取り除くための排気ポートと、を有する。排気ポートに向かって処理チャンバ内へ導入されるガスの流れパターンのため、基板上の均一堆積プロフィールを維持するのは難しい。更に、内部チャンバ構成部分の放射率が相違しているため、チャンバ内、従って、基板上の熱分布プロフィールが不均一となってしまう。基板の表面に亘る熱分布プロフィールがこのように不均一であると、基板上への物質の堆積が不均一となってしまう。すると、このために、更なる処理の前に基板を平坦化したり、その他の修復のために費用がかかったり、又は、結局、集積回路が不良となったりしてしまう。
【０００３】
[0003]従って、ＣＶＤチャンバにおいて基板上に物質を均一に堆積させるための改良された装置が必要とされている。
【発明の概要】
【０００４】
[0004]回転基板支持体を使用して、基板を処理するための方法及び装置についてここに説明する。一実施形態では、基板を処理するための装置は、内部に基板支持体アセンブリを配設したチャンバを含む。この基板支持体アセンブリは、支持表面及びこの支持表面の下に配設されたヒータを有する基板支持体を含む。この基板支持体には、シャフトが結合されており、このシャフトには、基板支持体に回転移動を与えるためローターを介してモータが結合される。このローターの周りにシールブロックが配設されていて、ローターに対するシールを形成している。このシールブロックは、このシールブロックとシャフトとの間の境界に沿って配設された少なくとも１つのシール及び少なくとも１つのチャネルを有する。各チャネルには、ポンプへ接続するためのポートが結合されている。シャフトには、基板支持体を上昇及び下降させるためのリフト機構が結合されている。
【０００５】
[0005]本発明の別の態様において、回転基板支持体を使用して、基板を処理する種々な方法が提供される。一実施形態では、回転基板支持体を使用して処理チャンバにおいて基板を処理する方法は、処理すべき基板を基板支持体上に置くステップと、処理サイクルを通じて基板を３６０度の全数倍回転させるステップと、を含む。別の実施形態では、基板上に形成される物質層の堆積割合が決定され、その物質層の最終堆積プロフィールを制御するため、その決定された堆積割合に応答して基板の回転の割合が制御される。別の実施形態では、特定の１つの又は複数の変数に応答して、基板の回転の速度が制御される。これら変数は、温度、圧力、計算された堆積割合又は測定された堆積割合のうちの少なくとも１つであってよい。別の実施形態では、基板は、第１の配向において第１の時間周期中処理され、それから、第２の配向へと割送りされて第２の時間周期中処理される。
【０００６】
[0006]本発明の前述した特徴を詳細に理解できるように、幾つかを図面に例示している実施形態について、発明の概要に述べた本発明を、より特定して以下に説明する。しかしながら、図面は、本発明の典型的な実施形態のみを例示しているのであり、従って、本発明の範囲をそれに限定するものではなく、本発明は、その他の同様に効果のある実施形態を含み得るものであることに注意されたい。
【詳細な説明】
【０００７】
[0012]ここに説明するような回転基板支持体と共に使用するのに適した１つの典型的な処理チャンバは、例えば、カリフォルニア州サンタクララのアプライドマテリアル社から入手できるＳｉＮｇｅｎチャンバの如き低圧力熱化学気相堆積リアクタである。他の処理チャンバも又、ここに説明する回転基板支持体を使用して効果のあるものである。
【０００８】
[0013]図１は、適当なリアクタ１００の一実施形態を例示している。このリアクタ１００は、基板（図示していない）上に物質の層が形成されるように、処理ガス、前駆体ガス又は反応ガスが熱的に分解されるような反応チャンバ又は処理空間１０８を画成するベース１０４、壁部１０２及び蓋１０６（まとめて、チャンバ本体と称する）を備える。
【０００９】
[0014]蓋には、少なくとも１つのポート１３４が形成されており、このポートは、１つ以上のガスを処理空間１０８へ供給するガスパネル１２８に結合される。典型的には、ガス分配プレート又はシャワーヘッド１２０が、蓋１０６の下方に配設され、ポート１３４を通して入ってくる処理ガスを処理空間に亘ってより均一に分散させるようにする。１つの典型的な実施形態では、堆積又は処理のための用意ができると、ガスパネル１２８により与えられる処理ガス又は前駆体ガスが、処理空間１０８内へ導入される。処理ガスは、ポート１３４からシャワーヘッド１２０における複数の孔（図示していない）を通して分配される。シャワーヘッド１２０は、処理ガスを処理空間１０８内へ均一に分配する。
【００１０】
[0015]チャンバ本体１０５に排気ポート１２６が形成されており、この排気ポート１２６は、弁、ポンプ等の如き排気装置（図示していない）に結合され、必要に応じてチャンバ本体１０５内の処理圧力を選択的に維持するようにする。処理空間１０８内の処理圧力を監視するため、圧力調整器（図示していない）、センサ（図示していない）等の如き他の構成要素が使用される。チャンバ本体１０５は、このチャンバが約１０トールから約３５０トールまでの間の圧力を維持できるようにする材料で構成される。１つの典型的な実施形態では、チャンバ本体１０５は、アルミニウム合金材料で構成される。
【００１１】
[0016]チャンバ本体１０５は、このチャンバ本体１０５を冷却するため温度制御された流体が、そこを通して送り込まれるようにするための通路（図示せず）を含むことができる。このような温度制御された流体の通路が設けられる場合には、このリアクタ１００は、「コールドウォール」リアクタ又は「ウァームウォール」リアクタと称される。チャンバ本体１０５を冷却することにより、そのチャンバ本体１０５を形成するのに使用されている材料が反応種の存在及び高温のために腐食されるのを防止することができる。チャンバ本体１０５の内部には、そのチャンバ本体１０５の内部表面上への望ましくない粒子の凝結を防止するため、温度制御されるライナー又は絶縁ライナー（図示していない）を裏打ちしておくこともできる。
【００１２】
[0017]このリアクタ１００は、更に、このリアクタ１００の処理空間１０８内に基板を支持するための回転リフトアセンブリ１５０を備える。このリフトアセンブリ１５０は、基板支持体１１０、シャフト１１２及び基板支持体移動アセンブリ１２４を含む。基板支持体１１０は、典型的に、リフトピン１１４を収容しており、更に又、加熱素子、電極、熱電対、背面ガス溝等（これらすべては簡単化のため図示していない）を含むことができる。
【００１３】
[0018]図１に示す実施形態では、基板支持体１１０は、基板受けポケット１１６の下方に配設されたヒータ１３６を含む。この基板受けポケット１１６は、典型的には、ほぼ基板の厚さである。この基板受けポケット１１６は、この基板受けポケット１１６の表面より僅かに上方に基板を保持する「バンプ」又は「スタンドオフ」（図示していない）の如き複数の特徴部を有することができる。
【００１４】
[0019]ヒータ１３６は、膜形成を行うため処理中に基板支持体１１０上に配置された基板の温度を制御するのに使用することができる。このヒータ１３６は、一般に、導電体に埋設された１つ以上の抵抗コイル（図示していない）を含む。これら抵抗コイルは、ヒータゾーンを作り出すように個々に制御できるものとすることができる。チャンバ本体１０５の内側の処理温度を監視するため、温度指示器（図示していない）を設けることができる。１つの実施例では、この温度指示器は、基板支持体１１０の表面（又は基板支持体１１０によって支持された基板の表面）での温度に相関したデータを与えるように配置された熱電対（図示していない）であってよい。
【００１５】
[0020]基板支持体移動アセンブリ１２４は、矢印１３１、１３２で示されるように、基板支持体１１０を垂直に上昇及び下降させ、且つ回転移動させる。回転リフトアセンブリ１５０の垂直移動により、基板をチャンバ本体１０５内へ移送したり、基板をチャンバ本体１０５から出したり、処理空間１０８内に基板を位置決めしたりすることができる。
【００１６】
[0021]例えば、基板は、典型的に、例えば、ロボット移送機構（図示していない）により、チャンバ本体１０５の壁部１０２に形成されたポート１２２を通して基板支持体１１０の上に置かれる。基板支持体移動アセンブリ１２４は、基板支持体１１０の支持表面がポート１２２より下にくるように、基板支持体１１０を下降させる。移送機構により、基板がポート１２２を通して挿入され、基板が基板支持体１１０の上方に配置される。それから、基板支持体１１０のリフトピン１１４が、リアクタ１００のベース１０４に可動的に結合されているコンタクトリフトプレート１１８を上昇させることにより、上昇させられる。リフトピン１１４は、移送機構から基板を持ち上げ、それから、引き下げられる。それから、コンタクトリフトプレート１１８及びリフトピン１１４は、基板支持体１１０の上に基板を置くように、下降させられる。
【００１７】
[0022]基板が装填され、移送機構が引っ込められたとき、ポート１２２が密閉され、基板支持体移動アセンブリ１２４が基板支持体１１０を処理位置へと上昇させる。１つの典型的な実施形態では、ウエハ基板シャワーヘッド１２０からある短い距離（例えば、４００−９００ミルのところにくるとき、その上昇は停止される。基板は、本質的に、前述のステップを逆に行うことにより、チャンバから取り出すことができる。
【００１８】
[0023]回転リフトアセンブリ１５０を回転移動させることにより、処理中に基板上の不均一な温度分布をならし又はより均一なものとすることができ、且つ以下に述べるような他の処理効果を得ることができる。
【００１９】
[0024]図２は、回転リフトアセンブリ１５０の一実施形態の断面簡略図を示す。一実施形態では、回転リフトアセンブリ１５０は、リアクタ１００のベース１０４の下に配設された支持体２０２に可動的に結合されたフレーム２０４を含む。フレーム２０４は、リニアベアリング等の如き適当な手段により支持体２０２に可動的に結合される。このフレームは、リアクタ１００のベース１０４の開口を通して延長しているシャフト１１２を介して基板支持体１１０を支持する。
【００２０】
[0025]このフレーム２０４には、リフト機構２０６が結合されており、支持体２０２内でフレーム２０４を移動させ、リアクタ１００内での基板支持体１１０の上昇及び下降の移動範囲を定める。このリフト機構２０６は、基板支持体１１０の移動範囲を望まれる範囲とするためのステッパモータ又はその他の適当な機構であってよい。
【００２１】
[0026]フレーム２０４は、更に、シャフト１１２及び基板支持体１１０と同軸的に整列されているモータ２０８を支持するハウジング２３０を含む。このモータ２０８は、このモータ２０８のシャフト２０９に結合されたローター２１０を介して基板支持体１１０を回転運動させる。シャフト２０９は、冷却水、電力、熱電対信号等がモータ２０８を通して同軸的に通過できるようにするため、中空であるとよい。モータ２０８にドライブ２３２を結合しておき、モータ２０８を制御できるようにしておくことができる。
【００２２】
[0027]モータ２０８は、典型的に、毎分約０回転から約６０回転（rpm）までの範囲内で動作し、約１パーセントの定常状態回転速度変動を有するようなものである。一実施形態では、モータ２０８は、約１rpmと約１５rpmとの間の範囲内で回転する。モータ２０８は、正確な回転制御を行えるものであり、約１度以内の割送りを行うことができる。このような回転制御により、処理中に基板を配向するのに使用される、例えば、基板の平坦部分又は基板に形成されたノッチのような特徴部の整列を行わせることができる。更に又、このような回転制御により、リアクタ１００の内部の固定座標に対する基板の任意の点の位置を知ることができる。
【００２３】
[0028]基板支持体１１０は、シャフト１１２及びローター２１０を介してモータ２０８により支持されており、モータ２０８のベアリングが基板支持体１１０を支持し整列させることができるようにしている。基板支持体１１０はモータ２０８に取り付けられ支持されているので、構成部分の数が最少とされ、ベアリングの複数のセットの間の整列及び結合の問題が減少され、又は排除される。別の仕方として、モータ２０８は、基板支持体１１０を回転させるため歯車、ベルト、プーリ等を使用して、基板支持体１１０からずらすこともできる。
【００２４】
[0029]任意的に、リフトピン１１４がリフトプレート１１８に係合しているとき（図１に示すように）、基板支持体１１０が回転されないようにするため、光学的センサの如きセンサ（図示していない）を設けることができる。例えば、この光学的センサは、回転リフトアセンブリ１５０の外側に配設され、そのアセンブリが所定の高さ位置（例えば、上昇処理位置又は下降基板移送位置）となるときを検出するように構成しておくことができる。
【００２５】
[0030]ローター２１０は、典型的に、硬化ステンレス鋼、アルマイト、セラミック等の如き、回転を容易とするように摩擦及び摩耗を減少させるような処理両立性のある耐腐食性材料で構成される。このローター２１０は、又研磨しておくとよい。一実施形態では、このローター２１０は、機械加工され、研削され、硬化され研磨された１７−４ＰＨ鋼で構成される。シャフト１１２とローター２１０との間の境界の座面は、典型的に、モータ２０８及びローター２１０の中心軸に対して基板支持体１１０が適正に整列させられるように研削されている。
【００２６】
[0031]基板支持体１１０の整列は、精密機械加工により達成することができる。別の仕方としては、又は、精密機械加工との組合せにて、ジャックボルトの如き調整機構を使用することにより、基板支持体１１０の整列を助成することもできる。このような整列を行うことにより、モータ２０８及び基板支持体１１０の中心軸が平行となり、基板支持体１１０の回転ぶれを減少させることができる。一実施形態では、基板支持体１１０は、約０．００２インチから約０．００３インチまでの間の表面ぶれを有している。一実施形態では、基板支持体１１０は、２００ｍｍ直径の支持表面に亘って約０．００５インチより小さい高さ変動を有している。良好なベアリングを有した高品質のモータ２０８を使用することにより、基板支持体のぶれを更に減少させることができる。
【００２７】
[0032]基板支持体１１０のシャフト１１２は、ピン接続、ボルト接続、ねじ込み、溶接、ろう付け等の適当な手段によってローター２１０に結合することができる。一実施形態では、シャフト１１２は、必要に応じて基板支持体１１０を素早く容易に取り外したり、交換したりできるように、ローター２１０に取り外し自在に結合される。一実施形態では、図３に示すように、複数のピン３０４（明瞭化のため図３では１つが示されている）がシャフト１１２のベース３０２から延長している。ローター２１０の本体３０８には、ピン３０４の各々に対応する位置に開口３１０が形成されており、ピン３０４が開口３１０内へ延長した状態でシャフトがローター２１０上へと下降させられる（矢印３１８で示すように）ようになっている。
【００２８】
[0033]回転シャフト３１２は、開口３１０内へ部分的に延長している。シャフト３１２には、ノッチ３１６が、そのノッチ３１６と開口３１０の内側壁部とが整列することができるような位置に形成されている。このように整列されるとき、ピン３０４は、シャフト３１２によってふさがれていない開口３１０内へと延長することができる。完全に挿入されるとき、ピン３０４に形成されたノッチ３０６は、シャフト３１２と整列される。それから、矢印３２０で示されるように、シャフト３１２を回転させて、シャフト３１２の本体がピン３０４のノッチ３０６内へと移動させられるようにすることができる。シャフト３１２を回転するとき、シャフト３１２の本体は、そのシャフト１１２をその位置にロックする。シャフト３１２は、シャフト３１２の回転時にピン３０４に係合するように、ピン３０４のノッチ３０６に関して偏心しておくことができる。別の仕方として、又は、そのような偏心と組み合わせて、このシャフト３１２が回転されるときにピン３０４に係合するようなカム（図示していない）を、シャフト３１２に形成しておくこともできる。シャフト３１２を回転し易くするため、シャフト３１２の外側端部に、六角頭部３１４の如き特徴部を形成しておくこともできる。この六角頭部３１４は、シャフト３１２をより容易に回転させるため工具を使用できるような位置とされている。
【００２９】
[0034]図２を参照するに、リアクタ１００の内側の処理空間１０８とリアクタ１００の外側の大気との間の圧力差を維持するため、シールブロック２１２がローター２１０を取り巻いており、ローターに対するシールを形成している。更に又、ベース１０４とシールブロック２１２との間にベローズ２１６が結合されている。シャフト１１２のベースとローター２１０との整列を助成するため、取付けプレート２１４を、任意的に、シールブロック２１２の上に設けることができる。図２に示された実施形態では、ベローズ２１６は、シールブロック２１２の頂部に配設された取付けプレート２１４に結合されている。
【００３０】
[0035]シールブロック２１２は、例えば、このシールブロック２１２とローター２１０との間の境界に設けられるリップシールのような少なくとも１つのシール２２８を含むことができる。このシール２２８は、典型的に、耐摩耗性であり、ポリエチレン又はその他の処理両立性のある材料で形成することができる。一実施形態では、このシールは、ポリテトラフルオロエチレン（ＰＴＦＥ）で形成される。図２に示した実施形態では、シールブロック２１２とローター２１０との間に３つのシール２２８が配設されている。シールブロック２１２をローター２１０と同軸とするため、シールブロック２１２は、装着中には浮動するようにしておき、シール２２８の圧力によって心出しされるようにしておくことができる。それから、そのシールブロック２１２は、装着プロセスの完了時に、ボルト止め、締付け又はその他の仕方で固定することができる。
【００３１】
[0036]シールブロック２１２とローター２１０との間の境界に沿って、１つ以上の溝又はチャネル２２６を設けることができる。このチャネル２２６は、シールブロック２１２及びローター２１０のうちの一方又は両方に形成することができ、ライン２２５を介してポンプ２２４に接続される。このポンプ２２４は、リアクタ１００の内部処理空間１０８とリアクタ１００の外側の大気との間のシールを維持するに適当な範囲内の圧力をチャネル２２６内に絶えず維持するようにする。図２に示した実施形態では、３つのシール２２８の間の空間に２つのチャネル２２６が配設され、２つのライン２２５によりポンプ２２４に結合されている。
【００３２】
[0037]必要な設備機関を基板支持体１１０へ結合するため、中空シャフト１１２内に少なくとも１つの導管２４２が配設される。例えば、この導管２４２は、ヒータ１３６に電力を与えるための、又熱電対のための電気配線及び基板支持体への他の電気接続線を含むことができる。各導管は、それら配線をシールドし保護するため、セラミックの如き絶縁性材料で形成することができる。又、各電気接続線について単一の導管２４２を使用して、各配線を個々に絶縁するようにすることもできる。基板支持体１１０に対して冷却ガス又は流体が使用される場合には、それら冷却ガス又は流体のための他の導管（図示していない）を設けることもできる。電気供給装置２４０から基板支持体１１０への電気接続を行うため、スリップリング２３４が設けられる。
【００３３】
[0038]ローター２１０、シャフト１１２のベース及び／又はヒータ１３６を冷却するのに使用するため回転リフトアセンブリへ冷却材を与えるように、回転ユニオン２３６が冷却材供給及び戻し装置２３８に結合される。別の仕方として、又は、回転ユニオンと組み合わせて、ローター２１０の放射冷却を行わせるため、ローター２１０に空冷フィン（図示していない）を設けることもできる。空冷フィンを使用するような実施形態では、それら冷却フィン上に対する空気流量を増大するのに、ファン（図示していない）を付加的に使用することもできる。リアクタ１００又は回転リフトアセンブリ１５０を有する他の処理チャンバと組み合わせて、他の冷却機構を使用することができると考えられる。例えば、空気を循環させベローズ２１６を冷却するのに、リアクタ１００の外側にファン（図示していない）を設けることができる。
【００３４】
[0039]自由に基板を回転させる方法のためには、スリップリング２３４及び回転ユニオン２３６が必要であるが、モータ２０８によって与えられる回転運動を、単一方向に連続した回転とするのでなく、交互に往復反転するようなものとすることもできると考えられる。従って、スリップリング２３４及び回転ユニオン２３６は、往復反転運動が必要とされるだけであるならば、任意なものとなると考えられる。このような実施形態の場合には、電気的及び冷却ユーティリティは、可撓性導管（図示していない）によって与えることができ、又、図２に示したようなスリップリング２３４及び回転ユニオン２３６を通して与えることもできる。
【００３５】
[0040]ベローズ２１６とシャフト１１２との間に配設されたリアクタ１００の内部空間２１８へ窒素又は他の処理不活性ガスの如きパージガスを与えるため、パージガス供給ライン２２５がパージガス供給装置２２０に結合されている。内部空間２１８において、パージガスは、リアクタ１００へ導入された物質がベローズ２１６及び／又はシャフト１１２の内部面上に堆積しないようにする。任意なものとして、パージガスは、パージガス供給装置２２０から供給ライン２２３を介してチャネル２２６へ供給することができる。
【００３６】
[0041]図１に戻って、一実施形態では、チャンバ圧力を指示するセンサからの信号を受け取るように、コントローラ１３０がチャンバ本体１０５に結合される。このコントローラ１３０は、処理空間１０８へのガス又はその他のガスの流れを制御するため、ガスパネル１２８にも結合することができる。このコントローラ１３０は、圧力調整器又はその他の調整器と関連して、処理空間１０８内の圧力を望まれる値に調整し又は維持するように動作することができる。更に又、このコントローラ１３０は、基板支持体１１０の温度、従って、基板支持体１１０の上に置かれた基板の温度を制御することができる。更に、このコントローラは、処理中に回転リフトアセンブリ１５０の回転を制御するため、その回転リフトアセンブリ１５０に結合することもできる。このコントローラ１３０は、本発明に従って基板上に物質の層を形成するように、前述したようなパラメータ内にガスの流れ並びにチャンバ内圧力及び基板支持体１１０の温度を制御するための命令をコンピュータ読み取り可能なフォーマットにて収容するメモリを含む。
【００３７】
[0042]動作において、回転リフトアセンブリは、処理チャンバにおいて固有の温度及び流れ不均一性による影響を最小とするのに使用することができる。例えば、ハードウエア製造及び設置公差、例えば、機械加工及び材料公差又は種々な部品の設置精度による影響は、この回転リフトアセンブリ１５０を使用して流れ及び温度不均一性をならすことにより、減少される。回転することにより、これらの不均一性を時間的に平均化するような基板環境が作り出され、その結果として、基板に亘ってより均一な膜厚さとすることができる。このような膜厚さ均一性の改善は、図１から図２に示したようなウエハの上方にガス流入口を配設したチャンバ、並びに、交差流れ又は基板直径に対して平行な流れを与えるようにガス流入口を配置した処理チャンバについてもなされるものである。
【００３８】
[0043]例えば、図４は、処理条件を表す数（軸４０４）に対して、百分率で表した膜厚さ不均一性（軸４０２）を示したグラフ４００である。このグラフのデータは、図１から図２に関して前述したものと同様のＣＶＤチャンバにおいて３００ｍｍベアシリコン基板上にシラン（ＳｉＨ４）及びアンモニア（ＮＨ３）を使用して窒化シリコン膜を堆積させることにより得られたものである。データ点４０６は、回転させずに処理された基板を表している。データ点４０８は、基板を回転させながら処理した基板を表している。データ点４０８は、測定されたすべての処理条件（例えば、軸４０４に沿う）について、データ点４０６に比較して、基板を回転させて処理された基板の不均一性百分率の方が低くなっていることを示している。
【００３９】
[0044]別の例として、図５は、軸５０４上に順次番号付けされた、基板を回転させて処理した幾つかの基板及び基板を回転させずに処理した幾つかの基板についての膜厚さ不均一性を軸５０２において百分率として表して示すグラフ５００である。このグラフのデータは、図１から図２に関して前述したようなものと同様のＣＶＤチャンバにおいて３００ｍｍベアシリコン基板上にビス（ｔ-ブチルアミノ）シラン（ＢＴＢＡＳ）及びアンモニア（ＮＨ３）を使用して窒化シリコン膜を堆積させることにより得られたものである。データ点５０６は、回転せずに処理された基板を表している。データ点５０８は、基板を回転させながら処理した基板を表している。データ点５０８は、基板を回転させると改善されること、すなわち、回転せずに処理した基板（例えば、データ点５０６）に比較して、基板を回転させた場合の膜厚さ不均一性百分率の方が低くなることを示している。
【００４０】
[0045]別の例として、図６Ａ及び図６Ｂは、それぞれ、静止した基板及び回転させた基板上に堆積された膜の表面に亘る膜厚さ変動をプロットして示す図である。図６Ａに示すプロット６１０は、回転させずに処理した基板の表面に亘る膜厚さ変動の方が、基板を回転させながら処理した基板に対応する図６Ｂに示したプロット６２０に比べて、より大きいことを示している。
【００４１】
[0046]回転リフトアセンブリ１５０の別の効果として、基板の回転によって流れが増大させられるということがあり、これにより、基板上の粒子汚染を減少することができるということがある。その上、回転リフトアセンブリ１５０による基板の回転によって作り出される付加的な流れ成分のため、使用する全流量をより低くすることができ、それにより、処理チャンバ内に均一な流れ又は比較的に均一な流れを維持するのに反応ガスに加えられる不活性ガス及び他の希釈剤を減少させることができる。希釈剤ガスを減少させると、リアクタ１００の処理空間１０８における反応種の濃度がより大きくなるので、堆積割合が増大されるという点で効果的である。
【００４２】
[0047]前述した回転リフトアセンブリ１５０を使用する方法の実施例について以下説明する。一実施形態では、基板は、特定の処理サイクルを通じて、３６０度の全数（例えば、整数）倍（３６０度を含む）だけ回転させられる。別の仕方としては、基板は、特定の処理サイクルの処理ランプアップ部分、定常状態部分及び／又はランプダウン部分のうちの少なくとも１つを通して３６０度の全数倍だけ回転させられる。
【００４３】
[0048]別の実施形態では、基板支持体１１０に支持された基板は、物質の均一なシード層を堆積させるための特定の処理中回転させられる。このシード層の堆積の後、このシード層上のバルク堆積が、基板支持体１１０を回転させながら、又は、回転させずに、行われる。
【００４４】
[0049]適当なプロファイリング装置によって基板を監視することにより、複数の処理サイクルに亘って、回転リフトアセンブリ１５０に支持された基板の回転を制御して、各処理サイクル内で堆積プロフィールを望ましいものとすることができる。この堆積プロフィールは、後に続く各堆積サイクルにおいても監視して適当に調整することにより、全堆積厚さプロフィールを、望まれるプロフィール（例えば、平坦）に等しいものとすることができる。
【００４５】
[0050]その上、回転リフトアセンブリ１５０の回転速度は、基板の処理中に測定され又は監視される特定の変数に依存して変化させることができる。例えば、温度又は圧力、又は、測定又は計算された堆積割合の如き、堆積割合に影響するものとして知られている処理変数を、処理中に基板支持体１１０によって支持された基板の回転速度を制御するのに使用することができる。例えば、基板は、遅い堆積割合の期間中にはより遅い速度で回転され、より速い堆積割合の期間中にはより速い速度で回転させられる。
【００４６】
[0051]更に又、回転リフトアセンブリ１５０によって支持された基板は、処理中に、一様に回転するのでなく、増分的に割り送りすることもできる。例えば、特定の時間周期においては１つの位置において基板を処理し、それから、次の時間周期のため新しい位置へとその基板を割り送りするようにすることもできる。又、例えば、第１の時間周期においては、基板を第１の配向にて保持し、それから、第２の時間周期のためにその基板を第２の配向へと１８０度回転させて、そこで処理するようにすることもできる。
【００４７】
[0052]基板は、又、チャンバから取り出すため整列するように割り送りすることもできる。この割送り機能は、基板にて検出された処理不均一性又は欠陥をリアクタ１００の特定の領域と関連付けることができるように、その基板の配向を記憶しておくのにも使用できる。
【００４８】
[0053]前述した方法及び装置は、低温化学気相堆積チャンバに関するものであるが、ここに説明した回転基板支持体１５０は、その他のチャンバ及びその他の薄膜堆積処理に適用しても効果が得られるものと考えられる。例えば、この回転リフトアセンブリは、サイクル当たり１つの原子層の膜を堆積するため別々にガス前駆体を送り込むようにする原子層堆積（ＡＬＤ）処理において改善された膜厚さ均一性を与えるために使用することができる。別の仕方として、この回転リフトアセンブリは、化学反応性を増大させるためそれぞれＵＶ光又はプラズマを使用するような紫外（ＵＶ）光又はプラズマ増進熱堆積処理において改善された膜厚さ均一性を与えるために使用することができる。
【００４９】
[0054]本発明の実施形態について前述したのであるが、本発明の基本的範囲から逸脱せずに、本発明の他の更なる実施形態を考えることができるものであり、本発明の範囲は、特許請求の範囲によって決定されるものである。
【図面の簡単な説明】
【００５０】
【図１】本発明の回転基板支持体を有する典型的な化学気相堆積チャンバの概略断面図である。
【図２】図１に示した回転基板支持体の概略断面図である。
【図３】回転基板支持体の支持シャフトとローターとの間のインターフェースの一実施形態の詳細図である。
【図４】回転基板及び非回転基板についての膜厚さ非均一性を示すグラフである。
【図５】回転基板及び非回転基板についての膜厚さ非均一性を示すグラフである。
【図６Ａ】非回転基板上に形成された膜についての膜厚さ変化のプロットである。
【図６Ｂ】回転基板上に形成された膜についての膜厚さ変化のプロットである。
【符号の説明】
【００５１】
１００…リアクタ、１０２…壁部、１０４…ベース、１０５…チャンバ本体、１０６…蓋、１０８…処理空間、１１０…基板支持体、１１２…シャフト、１１４…リフトピン、１１６…基板受けポケット、１１８…コンタクトリフトプレート、１２０…ガス分配プレート（シャワーヘッド）、１２２…ポート、１２４…基板支持体移動アセンブリ、１２６…排気ポート、１２８…ガスパネル、１３０…コントローラ、１３４…ポート、１３６…ヒータ、１５０…回転リフトアセンブリ、２０２…支持体、２０４…フレーム、２０６…リフト機構、２０８…モータ、２０９…シャフト、２１０…ローター、２１２…シールブロック、２１４…取付けプレート、２１６…ベローズ、２１８…内部空間、２２０…パージガス供給装置、２２３…供給ライン、２２４…ポンプ、２２５…ライン、２２６…チャネル（溝）、２２８…シール、２３０…ハウジング、２３２…ドライブ、２３４…スリップリング、２３６…回転ユニオン、２３８…冷却材供給及び戻し装置、２４０…電気供給装置、２４２…導管、３０２…ベース、３０４…ピン、３０６…ノッチ、３０８…ローターの本体、３１０…開口、３１２…回転シャフト、３１４…六角頭部、３１６…ノッチ
【図１】
2008544491.tif 000003
【図２】
2008544491.tif 000004
【図３】
2008544491.tif 000005
【図４】
2008544491.tif 000006
【図５】
2008544491.tif 000007
【図６Ａ】
2008544491.tif 000008
【図６Ｂ】
2008544491.tif 000009
【国際調査報告】
2008544491.tif 000010
2008544491.tif 000011
2008544491.tif 000012
2008544491.tif 000013